(57)【特許請求の範囲】
【請求項１】
対物光学系が内蔵された先端部本体の先端部分を斜面に形成して、その斜面に観察窓を配置すると共に、上記先端部本体に軸線方向と平行に形成された流体通路と連通して噴出口が上記観察窓の表面に向けられたノズル部材を上記斜面に植設した斜視型内視鏡の先端部において、
上記ノズル部材の上記先端部本体に埋まっている部分を円筒状に形成して、そのノズル部材の側面に上記噴出口を形成すると共に、上記ノズル部材の上記先端部本体に埋まっている部分の後端側を上記流体通路の軸線方向に対してほぼ垂直をなすように上記ノズル部材の軸線に対し斜めにカットして、上記斜面に対し垂直に穿設された孔に上記ノズル部材を植設し、上記ノズル部材の植設方向の中心軸線と上記流体通路の中心軸線との交点が上記斜面上に位置するように上記ノズル部材を配置して、上記ノズル部材の後端側カット部分を介して上記流体通路と上記ノズル部材内とが連通するように構成したことを特徴とする斜視型内視鏡の先端部。
【発明の詳細な説明】
【０００１】
【発明の属する技術分野】
この発明は、観察方向が先端部本体の向きに対して斜め方向を向いた斜視型内視鏡の先端部に関する。
【０００２】
【従来の技術】
図２は従来の斜視型内視鏡の先端部を示しており、対物光学系５２が内蔵された先端部本体５１の先端は、観察方向と垂直をなすように先端部本体５１の軸線に対して傾いた斜面５３として形成されている。
【０００３】
そして、その斜面５３に配置された観察窓５４には対物光学系５２のカバーレンズ５５が取り付けられていて、その内側には観察光軸の向きを変えるためのプリズム５６が配置されている。
【０００４】
６１は、空気又は水が送られてくる送気送水チューブであり、先端部本体５１に軸線方向と平行に形成された送気送水孔６２に対して後方から接続されている。送気送水孔６２の先端は斜面５３より内側に位置している。
【０００５】
そして、斜面５３に対して垂直に先端部本体５１に穿設された孔にノズル部材６３が植設されていて、その噴出口６３ａは、斜面５３に沿ってカバーレンズ５５の表面に向けられている。
【０００６】
ノズル部材６３の先端部本体５１内に埋まっている部分は筒状であり、その筒状部６３ｂの中心軸線６３ｃと送気送水孔６２の中心軸線６２ｃとの交点Ａは、筒状部６３ｂの奥の端部付近（即ち、先端部本体５１内）に位置している。
【０００７】
【発明が解決しようとする課題】
しかし、上述のようなレイアウトを採ると、図２に示されるように、ノズル部材６３が送気送水孔６２に対して先端部本体５１の外周側に偏って位置することになるので、そのスペースを確保するために先端部本体５１の直径が太くなって、内視鏡としての挿入性を低下させる。
【０００８】
そこで本発明は、先端部本体を太くすることなくノズル部材を配置することができて、挿入性のよい斜視型内視鏡の先端部を提供することを目的とする。
【０００９】
【課題を解決するための手段】
上記の目的を達成するため、本発明の斜視型内視鏡の先端部は、対物光学系が内蔵された先端部本体の先端部分を斜面に形成して、その斜面に観察窓を配置すると共に、上記先端部本体に軸線方向と平行に形成された流体通路と連通して噴出口が上記観察窓の表面に向けられたノズル部材を上記斜面に植設した斜視型内視鏡の先端部において、上記ノズル部材の植設方向の中心軸線と上記流体通路の中心軸線との交点が上記斜面上に位置するように上記ノズル部材を配置したことを特徴とする。
【００１０】
なお、上記ノズル部材の上記先端部本体内に埋まっている部分が筒状であってもよく、上記ノズル部材の上記先端部本体内に埋まっている部分が、上記流体通路の軸線方向に対してほぼ垂直をなす方向にカットされていて、そのカット部分を通って流体が上記流体通路から上記ノズル部材内に入るようにしてもよい。
【００１１】
【発明の実施の形態】
図面を参照して実施の形態を説明する。
遠隔操作によって屈曲自在に内視鏡の挿入部の先端に形成された湾曲部２の先端に先端部本体１が連結されていて、鏡枠６内に固着された対物光学系５が先端部本体１内に固定されている。
【００１２】
先端部本体１は、円柱状の例えばステンレス鋼製のブロックによって形成されていて、その先端は、観察方向と垂直をなすように先端部本体１の軸線に対して傾いた斜面４として形成され、先端部本体１の外周面には、表面が滑らかなプラスチック部材からなる先端ケース３が固着されている。
【００１３】
観察窓７は先端部本体１の斜面４に配置されており、取り付け枠９に取り付けられたカバーレンズ８が観察窓７に嵌め込まれて、水密に接着固定されている。カバーレンズ８の内側には、観察光軸の向きを変えるためのプリズム１０が配置されている。
【００１４】
先端部本体１内において鏡枠６の後端に接続された接続パイプ１１内には、対物光学系５による被写体の結像位置に撮像面が位置するように固体撮像素子１２が固定されている。１３は、固体撮像素子１２から出力される内視鏡観察像の撮像信号を伝送するための信号ケーブルである。
【００１５】
２１は、空気又は水が送られてくる送気送水チューブであり、先端部本体１に軸線方向と平行に形成された送気送水孔２２（流体通路）に対して後方から接続されている。送気送水孔２２の先端は斜面４に達している。
【００１６】
そして、斜面４に対して垂直に先端部本体１に穿設された孔にノズル部材２３が植設されていて、その噴出口２３ａは、斜面４に沿ってカバーレンズ８の表面に向けられている。
【００１７】
ノズル部材２３の先端部本体１内に埋まっている部分は断面形状が円形の筒状であり、その筒状部２３ｂの中心軸線２３ｃと送気送水孔２２の中心軸線２２ｃとの交点Ａが、ちょうど斜面４上に位置している。
【００１８】
したがって、ノズル部材２３の筒状部２３ｂは送気送水孔２２よりも観察窓７寄りに位置しており、ノズル部材２３を配置するにあたり、送気送水孔２２よりも先端部本体１の外周側にスペースを必要としない。
【００１９】
ただし、ノズル部材２３の奥側の端面が送気送水孔２２から偏って位置することになるので、ノズル部材２３の筒状部２３ｂは、送気送水孔２２の中心軸線２２ｃの方向に対してほぼ垂直をなす方向にカットされている。２３ｄがそのカット部である。
【００２０】
そのように構成することによって、送気送水孔２２とノズル部材２３との間の連通部分に不足のない断面積が確保され、カット部２３ｄを通って空気又は水が送気送水孔２２からノズル部材２３内に入る。
【００２１】
【発明の効果】
本発明によれば、ノズル部材の植設方向の中心軸線と流体通路の中心軸線との交点が先端部本体の先端に形成された斜面上に位置するようにノズル部材を配置したことにより、ノズル部材の先端部本体内に埋まっている部分が流体通路よりも先端部本体の外周側に位置しないので、先端部本体を太くすることなくノズル部材を配置することができ、内視鏡として優れた挿入性を得ることができる。
【図面の簡単な説明】
【図１】本発明の実施の形態の斜視型内視鏡の先端部の側面断面図である。
【図２】従来の実施の形態の斜視型内視鏡の先端部の側面断面図である。
【符号の説明】
１  先端部本体
４  斜面
５  対物光学系
７  観察窓
２２  送気送水孔
２２ｃ  中心軸線
２３  ノズル部材
２３ａ  噴出口
２３ｂ  筒状部
２３ｃ  中心軸線
Ａ  交点
【図１】
0003911067.tif 000002
【図２】
0003911067.tif 000003